(57)【特許請求の範囲】
【請求項１】
伝動チェーンに揺動固定軸を中心に押接付勢されるシュー面を表面に形成したシュー部材と、該シュー部材の裏面を被嵌装着するレバー本体とで構成されてテンショナにより押接付勢して伝動チェーンの張力を適正に保持するテンショナレバーにおいて、
前記シュー部材が前記レバー本体に形成した係止凹溝に嵌入する係合凸条を備えているとともに前記レバー本体の揺動自由端に熱膨縮吸収空隙を介在させて係合する浮上り防止抱持部を備えており、
前記レバー本体の係止凹溝に嵌入したシュー部材の係合凸条とレバー本体の揺動基端部とが前記揺動固定軸位置よりシュー面側に配置した軸ピンで連結されていることを特徴とするテンショナレバー。
【請求項２】
前記レバー本体の両側縁に凹設した切欠凹部に係入する横振れ防止片が前記シュー部材の両側縁に突設されていることを特徴とする請求項１記載のテンショナレバー。
【請求項３】
前記レバー本体がアルミ製であり、前記シュー部材が樹脂製であることを特徴とする請求項１または請求項２記載のテンショナレバー。
【発明の詳細な説明】
【０００１】
【発明の属する技術分野】
本発明は、テンショナにより押接付勢して伝動チェーンの張力を適正に保持するために好適なテンショナレバーである。
【０００２】
【従来の技術】
従来、テンショナレバーのシュー部材取付け手段は、例えば、実用新案登録第２５１９４７６号公報に開示されているように、浮上り防止および横振れ防止についての対策がなされているものの、伝動チェーンの摺動前後方向すなわち、テンショナレバーの長手方向の遊動防止対策については格別の配慮が施されていない実情にある。
すなわち、図５に示す如く、テンショナレバーＬは、テンショナＴによって無端懸回し
矢印方向に回転している伝動チェーンＣに揺動固定軸Ａを中心に押接付勢され、伝動チェーンＣの張力を適正に保持しているものである。
【０００３】
そして、該テンショナレバーＬは、図６に示す如く、アルミ製のレバー本体Ｌ１に樹脂製のシュー部材Ｌ２を被嵌装着して構成され、該シュー部材Ｌ２は、レバー本体Ｌ１の揺動基端肩部Ｓに係止する爪部Ｆとレバー本体Ｌ１の一側縁を抱持する係合片Ｆ１，Ｆ２，Ｆ３および他側縁を抱持する係合片Ｆ４とレバー本体Ｌ１の他側縁に形成した切欠（図示せず）に係合する突条片（図示せず）とを有し、レバー本体Ｌ１に対するシュー部材Ｌ２のＢ方向へのすべり移動、Ｅ方向への浮上りおよびＤ方向への横揺れ等を防止している。
【０００４】
【発明が解決しようとする課題】
上述した従来技術においては、シュー部材Ｌ２の浮上りおよび横揺れを係合片Ｆ１，Ｆ２，Ｆ３およびＦ４によって防止し、レバー本体Ｌ１に対するシュー部材Ｌ２のチェーン進行に伴うＢ方向のすべりを爪部Ｆによって防止しているが、伝動チェーンＣの高速回転に伴う振動および回転速度の変動により、シュー部材Ｌ２にＢ方向ばかりでなく反Ｂ方向のすべり移動が発生して、シュー部材Ｌ２の往復すべり移動に伴う反復衝接騒音が前記爪部Ｆおよび係合片Ｆ１〜Ｆ４とレバー本体Ｌ１との間で生起されるばかりでなく、該反復衝接によりシュー部材Ｌ２の爪部Ｆおよび係合片Ｆ１，〜Ｆ４が破損、欠損して、シュー部材Ｌ２がレバー本体Ｌ１より脱落するおそれがあった。
【０００５】
【課題を解決するための手段】
そこで、本請求項１に係る発明は、伝動チェーンに揺動固定軸を中心に押接付勢されるシュー面を表面に形成したシュー部材と、該シュー部材の裏面を被嵌装着するレバー本体とで構成されてテンショナにより押接付勢して伝動チェーンの張力を適正に保持するテンショナレバーにおいて、前記シュー部材が前記レバー本体に形成した係止凹溝に嵌入する係合凸条を備えているとともに前記レバー本体の揺動自由端に熱膨縮吸収空隙を介在させて係合する浮上り防止抱持部を備えており、前記レバー本体の係止凹溝に嵌入したシュー部材の係合凸条とレバー本体の揺動基端部とが前記揺動固定軸位置よりシュー面側に配置した軸ピンで連結されていることにより、また、請求項２に係る発明においては、請求項１に係る発明の構成に加えて、前記レバー本体の両側縁に凹設した切欠凹部に係入する横振れ防止片が前記シュー部材の両側縁に突設されていることにより、さらに、請求項３に係る発明においては、請求項１または請求項２に係る発明の構成に加えて、前記レバー本体がアルミ製であり、前記シュー部材が樹脂製であることにより、前記課題を解決したものである。
【０００６】
【作用】
レバー本体の係止凹溝に嵌入したシュー部材の係合凸条を軸ピンでレバー本体の揺動基端部に連結することにより、また、シュー部材の係合凸条をレバー本体の係止凹溝に嵌合することにより、シュー部材の長手方向の往復すべり振動が防止され、さらにレバー本体とシュー部材の材質の相違による熱膨張の差異がテンショナレバーの長手方向に生じても、レバー本体の揺動自由端とシュー部材の浮上り防止抱持部との間に介在する熱膨縮吸収空隙によりテンショナレバーの長手方向の相対的すべり移動が許容される。
【０００７】
【実施例】
図１は、本発明の第１実施例の組立て説明図であって、同図（Ａ）は、シュー部材１Ａの斜視図であり、（Ｂ）は、レバー本体１Ｂの斜視図であり、同図（Ｃ）は、テンショナレバー１の組立正面図である。
【０００８】
樹脂製のシュー部材１Ａは、伝動チェーンに押接付勢された表面２Ａと裏面長手方向に突設された係合凸条３Ａを有し、アルミ製のレバー本体１Ｂは、係合凸条３Ａが嵌合する
係止凹溝３Ｂを有し、シュー部材１Ａには、レバー本体１Ｂの揺動基端部に形成された肩部４Ｂに被嵌する係合部４Ａとレバー本体１Ｂの揺動自由端５Ｂに熱膨縮吸収空隙６を介在させて係止する浮上り防止抱持部５Ａとが形成され、レバー本体１Ｂの係止凹溝３Ｂに係合したシュー部材１Ａの係合凸条３Ａは、軸孔７’に挿入される軸ピン７によってレバー本体の揺動基端部に連結され、同図（Ｃ）に示す如く、シュー部材１Ａは、レバー本体１Ｂに被嵌装着されている。
【０００９】
したがって、軸ピン７は、レバー本体１Ｂ上でシュー部材１Ａが長手方向に往復すべり振動することを防止し、レバー本体１Ｂの係止凹溝３Ｂに嵌合したシュー部材１Ａの係合凸条３Ａは、シュー部材１Ａの横振れを防止し、レバー本体１Ｂの揺動自由端５Ｂを抱持したシュー部材の浮上り防止抱持部５Ａは、シュー部材１Ａの浮上りを防止し、熱膨縮吸収空隙６は、樹脂製のシュー部材１Ａとアルミ製のレバー本体１Ｂとの膨張係数の相違による長手方向の伸縮差を吸収してシュー部材１Ａの浮上り防止抱持部５Ａとレバー本体１Ｂの揺動自由端５Ｂとの係合抱持を確実にする。
なお、レバー本体１Ｂの裏面に形成した凸部Ｐは、テンショナＴの押圧付勢ロッドＲの押接部である。
【００１０】
図２は、本発明の第２実施例の組立て説明図であって、シュー部材１１Ａの裏面長手方向には、切欠部１２Ａを有する係合凸条１３Ａが突設され、該係合凸条１３Ａは、レバー本体１１Ｂの長手方向に凹設した分断係止凹溝１３Ｂに嵌合し、係止凹溝分断部１２Ｂは、シュー部材の切欠部１２Ａに係入される。
【００１１】
シュー部材１１Ａには、レバー本体１１Ｂの揺動基端部に形成された肩部１４Ｂに被嵌する係合部１４Ａとレバー本体１１Ｂの揺動自由端１５Ｂに熱膨縮吸収空隙１６を介在させて係合する浮上り防止抱持部１５Ａが形成されている。
そして、レバー本体１１Ｂの係止凹溝１３Ｂに嵌入したシュー部材１１Ａの係合凸条１３Ａは、軸孔１７’に挿入される軸ピン１７によってレバー本体１１Ｂの揺動基端部に連結されている。
【００１２】
シュー部材１１Ａの切欠部１２Ａは、レバー本体１１Ｂの係止凹溝分断部１２Ｂを係入させることにより、シュー部材１１Ａの長手方向の往復すべり振動の防止力を補強するものである。
【００１３】
図３は、本発明の第３実施例の組立て説明図であって、レバー本体２１Ｂの揺動基端部に分断係止凹溝２３Ｂが凹設され、該レバー本体２１Ｂに被嵌装着するシュー部材２１Ａには、分断係止凹溝２３Ｂに嵌合する係合凸条２３Ａと、レバー本体２１Ｂの係止凹溝分断部２２Ｂが係入する切欠部２２Ａが形成されている。
そして、レバー本体２１Ｂの係止凹溝２３Ｂに嵌合したシュー部材２１Ａの係合凸条２３Ａは、軸孔２７’に挿入される軸ピン２７によりレバー本体２１Ｂの揺動基端部に連結される。
【００１４】
また、シュー部材２１Ａには、レバー本体２１Ｂの揺動基端部に形成された肩部２４Ｂに被嵌する係合部２４Ａとレバー本体２１Ｂの揺動自由端２５Ｂに熱膨縮吸収空隙１６を介在させて係合する浮上り防止抱持部２５Ａが形成されている。
そして、シュー部材２１Ａの両側縁には、横振れ防止片２６Ａを千鳥状に配列突設し、この横振れ防止片２６Ａは、レバー本体２１Ｂの切欠凹部２６Ｂに係入される。
【００１５】
さらに、図２〜図３においてシュー部材の係合凸条の係合面１３Ｃ，２３Ｃとレバー本体の係止凹溝の被係止面１３Ｄ，２３Ｄとは、シュー部材の裏面およびレバー本体の表面に対し、略々直角な垂直面に形成することにより、シュー部材のレバー本体に対するチェ
ーン進行方向と反対方向のすべり振動を確実に阻止する。
【００１６】
【発明の効果】
本発明においては、シュー部材とレバー本体の揺動基端部とを揺動固定軸位置よりシュー面側に配置した軸ピンで連結することにより、シュー部材のチェーン方向の前後振動を阻止することができ、特に好ましくは、シュー部材の係合凸条の切欠部にレバー本体の係止凹溝分断部が係入することにより、シュー部材の前後振動阻止作用が補強される。
また、シュー部材の係止凸条はレバー本体の係止凹溝に嵌入することにより、シュー部材とレバー本体との長手方向の熱変形を許容するとともに、シュー部材の両側縁に突設してレバー本体の切欠部に係入したシュー部材の横振り防止片の防止作用をさらに補強することができる。
さらに、レバー本体の揺動自由端を抱持係止するシュー部材の浮上り防止抱持部は、熱膨縮吸収空隙の介在により、シュー部材とレバー本体との材質の相違による熱変形差を吸収して、レバー本体の揺動自由端の抱持係止を確実にし、浮上り防止作用を保持することができる。
【００１７】
そして、レバー本体の両側縁に凹設した切欠凹部に係入する横振れ防止片がシュー部材の両側縁に突設されていることにより、レバー本体に対するシュー部材の長手方向の往復すべり振動が阻止されるとともに、往復振動による横揺れ防止片の破損、欠損事故が防止され、耐用寿命の長いテンショナレバーを得ることができる。
【図面の簡単な説明】
【図１】本発明の第１実施例であって、（Ａ）は、シュー部材の斜視図であり、（Ｂ）は、レバー本体の斜視図であり、（Ｃ）は、レバー本体にシュー部材を被嵌装着して組立てたテンショナレバー正面図。
【図２】本発明の第２実施例であって、（Ａ）は、シュー部材の斜視図であり、（Ｂ）は、レバー本体の斜視図であり、（Ｃ）は、レバー本体にシュー部材を被嵌装着して組立てたテンショナレバー正面図。
【図３】本発明の第３実施例であって、（Ａ）は、シュー部材の斜視図であり、（Ｂ）は、レバー本体の斜視図であり、（Ｃ）は、レバー本体にシュー部材を被嵌装着して組立てたテンショナレバー正面図。
【図４】テンショナレバーの使用説明図。
【図５】従来のテンショナレバーを示す斜視図。
【符号の説明】
１    ・・・テンショナレバー
１Ａ，１１Ａ，２１Ａ，３１Ａ  ・・・シュー部材
１Ｂ，１１Ｂ，２１Ｂ，３１Ｂ  ・・・レバー本体
３Ａ，１３Ａ，２３Ａ，３３Ａ  ・・・係合凸条
３Ｂ，１３Ｂ，２３Ｂ，３３Ｂ  ・・・係止凹溝
５Ａ，１５Ａ，２５Ａ，３５Ａ  ・・・浮上り防止抱持部
６  ，１６  ，２６  ，３６    ・・・熱膨縮吸収空隙
７  ，１７  ，２７  ・・・軸ピン
２６Ａ，３５Ａ  ・・・横揺れ防止片
２６Ｂ，３５Ｂ  ・・・切欠凹部
３２Ａ  ・・・係止爪部
３２Ｂ  ・・・係止凹部
【図１】
0003961612.tif 000002
【図２】
0003961612.tif 000003
【図３】
0003961612.tif 000004
【図４】
0003961612.tif 000005
【図５】
0003961612.tif 000006